(57)【要約】【課題】本発明は、表示領域に対して大きな面積の検出領域を確保して、操作性を向上させることが可能な入力装置及びその検出方法を提供することを目的とする。【解決手段】本発明は、表面パネル３１と、静電センサ２０と、静電センサ２０の検出信号を処理する制御部とを有し、表面パネル３１は、表示領域４２が設けられた透光性の天板３２と、天板３２に設けられた側板３３とを有して構成され、静電センサ２０は、天板３２と側板３３とに亘って表面パネル３１に貼り合わされており、静電センサ２０の検出領域１２は、天板３２及び側板３３から所定の距離だけ離れて設けられるとともに、天板３２に対向する第１の検出領域１２ａと、側板３３に対向する第２の検出領域１２ｂと、第１の検出領域１２ａと第２の検出領域１２ｂとの間の第３の検出領域１２ｃとを有することを特徴とする。【選択図】図２
2015153004.tif 000002
【特許請求の範囲】
【請求項１】
表面パネルと、静電センサと、前記静電センサの検出信号を処理する制御部とを有し、
前記表面パネルは、表示領域が設けられた透光性の天板と、前記天板に設けられた側板とを有して構成され、
前記静電センサは、前記天板と前記側板とに亘って前記表面パネルに貼り合わされており、
前記静電センサの検出領域は、前記天板及び前記側板から所定の距離だけ離れて設けられるとともに、前記天板に対向する第１の検出領域と、前記側板に対向する第２の検出領域と、前記第１の検出領域と前記第２の検出領域との間の第３の検出領域とを有することを特徴とする入力装置。
【請求項２】
前記制御部は、前記検出領域における検出位置と前記表示領域における表示位置とを対応させて入力位置を算出することを特徴とする請求項１に記載の入力装置。
【請求項３】
前記検出領域は、前記側板に対向する位置から前記天板に対向する位置に亘って連続して設けられており、
前記制御部は、前記第３の検出領域の検出値の分布と、前記第３の検出領域の周囲の前記第１の検出領域の検出値の分布と、前記第３の検出領域の周囲の前記第２の検出領域の検出値の分布との総和の重心位置から、前記第３の検出領域における操作体の位置を算出することを特徴とする請求項１または請求項２に記載の入力装置。
【請求項４】
前記側板は前記天板に傾斜して設けられていることを特徴とする請求項１から請求項３のいずれか１項に記載の入力装置。
【請求項５】
前記静電センサは、基材と、前記基材に設けられた複数の電極とを有して構成され、
前記電極が前記天板及び前記側板にそれぞれ位置して前記静電センサと前記表面パネルとが貼り合わされていることを特徴とする請求項１から請求項４のいずれか１項に記載の入力装置。
【請求項６】
表面パネルと、静電センサと、前記静電センサの検出信号を処理する制御部とを有し、
前記表面パネルは、表示領域が設けられた透光性の天板と、前記天板に設けられた側板とを有して構成され、
前記静電センサは、前記天板と前記側板とに亘って前記表面パネルに貼り合わされており、
前記静電センサの検出領域は、前記天板及び前記側板から所定の距離だけ離れて設けられるとともに、前記天板に対向する前記第１の検出領域と、前記側板に対向する第２の検出領域と、前記第１の検出領域と前記第２の検出領域との間の第３の検出領域とを有し、
前記制御部は、前記検出領域における検出位置と前記表示領域における表示位置とを対応させて入力位置を算出することを特徴とする入力装置の検出方法。
【請求項７】
前記制御部は、前記第３の検出領域の検出値の分布と、前記第３の検出領域の周囲の前記第１の検出領域の検出値の分布と、前記第３の検出領域の周囲の前記第２の検出領域の検出値の分布との総和の重心位置から、前記第３の検出領域における操作体の位置を検出することを特徴とする請求項６に記載の入力装置の検出方法。
【発明の詳細な説明】
【技術分野】
【０００１】
本発明は、静電センサを用いた入力装置に関し、特に小型の表示面を有する入力装置に関する。
【背景技術】
【０００２】
スマートフォン等の携帯型端末では、表示部に透光型の入力装置が用いられている。このような入力装置として、静電容量変化によって入力位置を検出する静電センサを用いた入力装置が知られている。静電センサを用いた入力装置は、直接被検出体を接触させて入力操作を行うだけではなく、被検出体を接触させずに離れた状態における接近を検出することができる。
【０００３】
下記特許文献１は、複数のディスプレイとタッチパネルとを用いた情報表示システムについて開示されている。図８は、特許文献１に記載されている情報表示システムを構成する立体ディスプレイである。図８に示すように、立体ディスプレイ１００は、複数のタッチパネルユニット１０５ａ、１０５ｂ、１０５ｃを凹状に組み合わせて構成されている。タッチパネルユニット１０５ａは、ディスプレイパネル１０１ａとタッチパネル１０２ａと反射防止パネル１０３ａとが重ね合わされて構成され、タッチパネルユニット１０５ｂ、１０５ｃも同様の構成となっている。
【０００４】
タッチパネル１０２ａ〜１０２ｃは操作者の手や指などの接近を検知して、３枚のタッチパネル１０２ａ〜１０２ｃの入力位置情報から手や指等の３次元の相対空間座標が得られる。図８に示すように、立体ディスプレイパネル１００では、ディスプレイパネル１０１ａとタッチパネル１０２ａとは同じ形状を有して重ね合わされており、ディスプレイパネル１０１ａの表示領域とタッチパネル１０２ａの検出領域とは、ほぼ同じ面積を有する。
【０００５】
また、静電センサを用いた携帯型端末として、常時身につけて使用する時計型やメガネ型等のウェアラブル端末が知られている。このような小型の端末において、液晶表示装置などの表示画面上に静電センサを重ねて入力装置を構成することにより、表示画面を視認しながら入力操作を行うこと可能となる。
【先行技術文献】
【特許文献】
【０００６】
【特許文献１】特開２０１３−１０５０８４号公報
【発明の概要】
【発明が解決しようとする課題】
【０００７】
しかしながら、ウェアラブル端末等の小型の端末において、表示装置の大きさの制約が大きいため、表示領域の面積が小さくなる。そして、表示装置と重ねて用いられる入力装置においても、入力操作を行うことができる入力領域の面積が小さくなる。よって、表示領域に複数の入力選択用の画像などを表示させる場合、それぞれの画像の面積を小さくし、また、隣り合うボタン同士の間隔を小さくする必要がある。したがって、入力装置として静電センサを用いた場合、選択用ボタンと同時に隣のボタンを入力してしまう等の誤入力が発生する。
【０００８】
また、特許文献１に記載の立体ディスプレイパネル１００等の比較的大きな入力領域を有する入力装置に静電センサを用いたとき、フリック入力やジェスチャ入力など多用な操作が可能である。しかし、小型の端末においては入力領域が小さいため単純な入力操作に制限されてしまい、快適な操作を行うことができないという課題がある。
【０００９】
本発明は、上記課題を解決して、表示領域に対して大きな面積の検出領域を確保して、操作性を向上させることが可能な入力装置を提供することを目的とする。
【課題を解決するための手段】
【００１０】
本発明の入力装置は、表面パネルと、静電センサと、前記静電センサの検出信号を処理する制御部とを有し、前記表面パネルは、透光性の表示領域が設けられた天板と、前記天板に設けられた側板とを有して構成され、前記静電センサは、前記天板と前記側板とに亘って前記表面パネルに貼り合わされており、前記静電センサの検出領域は、前記天板及び前記側板から所定の距離だけ離れて設けられるとともに、前記天板に対向する第１の検出領域と、前記側板に対向する第２の検出領域と、前記第１の検出領域と前記第２の検出領域との間の第３の検出領域とを有することを特徴とする。
【００１１】
これによれば、天板に対向する第１の検出領域に加えて、第２の検出領域及び第３の検出領域で検出可能となる。よって、天板に設けられた表示領域の面積に対して検出領域の全体の面積を拡大することができ、表示領域の大きさに制限されずに入力操作が可能になり、操作性を向上させることができる。
【００１２】
したがって、本発明の入力装置によれば、表示領域に対して大きな面積の検出領域を確保して、操作性を向上させることが可能である。
【００１３】
前記制御部は、前記検出領域における検出位置と前記表示領域における表示位置とを対応させて入力位置を算出することが好ましい。これによれば、天板及び側板から所定の距離だけ離れた検出領域における入力操作を、表示領域に対する入力操作として入力位置を算出することができる。
【００１４】
前記検出領域は、前記側板に対向する位置から前記天板に対向する位置に亘って連続して設けられており、前記制御部は、前記静電センサの前記第３の検出領域の検出値の分布と、前記第３の検出領域の周囲の前記第１の検出領域の検出値の分布と、前記第３の検出領域の周囲の前記第２の検出領域の検出値の分布との総和の重心位置から、前記第３の検出領域における操作体の位置を検出することが好ましい。これによれば、第３の検出領域における操作体の接近を精度良く検出することができるため、表示領域に対して検出領域の面積を確実に大きくすることができる。
【００１５】
前記側板は、前記天板に対して傾斜して設けられていることが好ましい。これによれば、静電センサを表面パネルの天板と側板とに亘って容易に貼り合わせることができる。
【００１６】
前記静電センサは、基材と、前記基材に設けられた複数の電極とを有して構成され、前記電極が前記天板及び前記側板にそれぞれ位置して前記静電センサと前記表面パネルとが貼り合わされていることが好ましい。これによれば、複数の検出領域に亘って同一の静電センサで検出可能であるため、連続して入力操作の検出が可能となり、スムーズな入力操作が可能となる。
【００１７】
本発明の入力装置の検出方法は、表面パネルと、静電センサと、前記静電センサの検出信号を処理する制御部とを有し、前記表面パネルは、表示領域が設けられた透光性の天板と、前記天板に設けられた側板とを有して構成され、前記静電センサは、前記天板と前記側板とに亘って前記表面パネルに貼り合わされており、前記静電センサの検出領域は、前記天板及び前記側板から所定の距離だけ離れて設けられるとともに、前記天板に対向する第１の検出領域と、前記側板に対向する第２の検出領域と、前記第１の検出領域と前記第２の検出領域との間の第３の検出領域とを有し、前記制御部は、前記検出領域における検出位置と前記表示領域における表示位置とを対応させて入力位置を算出することを特徴とする入力装置の検出方法。
【００１８】
これによれば、天板に対向する第１の検出領域に加えて、第２の検出領域及び第３の検出領域で検出可能となる。そして、前記操作部により、天板及び前記側板から所定の距離だけ離れた検出領域における入力操作を、表示領域に対する入力操作として入力位置を算出することができる。よって、表示領域に対して検出領域の面積を拡大することができ、表示領域の大きさに制限されずに入力操作が可能になり、操作性を向上させることができる。
【００１９】
したがって、本発明の入力装置の検出方法によれば、表示領域に対して大きな面積の検出領域を確保して、操作性を向上させることができる。
【００２０】
前記制御部は、前記静電センサの前記第３の検出領域の検出値の分布と、前記第３の検出領域の周囲の前記第１の検出領域の検出値の分布と、前記第３の検出領域の周囲の前記第２の検出領域の検出値の分布との総和の重心位置から、前記第３の検出領域における操作体の位置を検出することが好ましい。これによれば、第３の検出領域における操作体の接近を精度良く検出することができるため、表示領域に対して検出領域の面積を確実に大きくすることができる。
【発明の効果】
【００２１】
本発明の入力装置及びその検出方法によれば、表示領域に対して大きな面積の検出領域を確保して、操作性を向上させることができる。
【図面の簡単な説明】
【００２２】
【図１】本発明の実施形態における入力装置の平面図である。
【図２】図１のＩＩ−ＩＩ線で切断して矢印方向から見たときの入力装置の断面図である。
【図３】静電センサの電極構造の一例、及び静電センサに接続された回路ブロック図を示す説明図である。
【図４】検出領域と表示領域との関係を模式的に示す説明図である。
【図５】本実施形態の入力装置の部分拡大断面図である。
【図６】本実施形態の入力装置における検出値と検出位置の関係を示す説明図であり、（ａ）第３の検出領域の位置ｂ１における検出値の分布を示す説明図、（ｂ）第３の検出領域の位置ｂ２における検出値の分布を示す説明図である。
【図７】操作単位長さと検出位置との関係を示す説明図である。
【図８】特許文献１に記載の立体ディスプレイを示す斜視図である。
【発明を実施するための形態】
【００２３】
以下、図面を参照して、本発明の入力装置及びその検出方法の具体的な実施形態について説明をする。
【００２４】
図１は、実施形態における入力装置の平面図である。図２は、図１のＩＩ−ＩＩ線で切断して矢印方向から見たときの入力装置の断面図である。
【００２５】
図２に示すように本実施形態の入力装置１０は、表面パネル３１と、表面パネル３１に貼り合わされた静電センサ２０とを有して構成される。表面パネル３１は、天板３２と、天板３２に設けられた側板３３とを有し、図１に示すように、矩形状の天板３２の各辺に繋がって側板３３ａ〜３３ｄが設けられている。図２に示すように、天板３２と側板３３ａ〜３３ｄとで凹状の空間が形成されており、表面パネル３１の空間内に表示装置４１が組み込まれる。表示装置４１は、例えば液晶表示パネルやエレクトロルミネッサンス表示パネルなどである。
【００２６】
図１及び図２に示すように、天板３２には、透明なガラスや透光性樹脂で形成された透光性の表示領域４２が設けられており、操作者は、表示領域４２を通して表示装置４１の画面に表示される画像、文字、アイコン等の表示画像４３を視認することができる。天板３２の外縁及び側壁３３は着色された樹脂で形成され、入力装置１０の内部が視認されることを防止している。また、天板３２及び側壁３３をガラスや透光性樹脂で一体に形成し、表示領域４２の周囲に着色された非透光性の加飾層（図１及び図２には省略して示す）を設けてもよい。
【００２７】
図２に示すように、静電センサ２０は、天板３２と側面３３とに亘って表面パネル３１の凹状面に貼り合わされている。本実施形態の静電センサ２０は、検出感度が高い、いわゆるホバータイプの静電センサ２０である。よって、図２に示すように静電センサ２０の検出領域１２は表面パネル３１から所定の距離Ｌだけ離れて設けられている。
【００２８】
本実施形態の入力装置１０において、図２に示すように、静電センサ２０が天板３２と側面３３とに亘って設けられているため、静電センサ２０の検出領域１２は、天板３２に対向する第１の検出領域１２ａと、側板３３に対向する第２の検出領域１２ｂと、第１の検出領域１２ａと第２の検出領域１２ｂとの間の第３の検出領域１２ｃとを有する。図２に示すように、第１の検出領域１２ａは、天板３２と略平行に設けられ、表示領域４２に対して同等またはわずかに大きい面積を有する。第２の検出領域１２ｂは、側壁３３と略平行に設けられ、側壁３３に対して同等またはわずかに大きい面積を有する。第３の検出領域１２ｃは、第１の検出領域１２ａと第２の検出領域１２ｂとを繋ぐ領域である。
【００２９】
したがって、第２の検出領域１２ｂ及び第３の検出領域１２ｃを設けたことにより、表示領域４２に対して検出領域１２の面積を拡大することができ、表示領域４２の面積、または表面パネル３１の天板３２の面積に制限されずに入力操作が可能となり、操作性を向上させることができる。
【００３０】
本実施形態の入力装置１０は、例えば、時計型やメガネ型等のウェアラブル端末に用いることができる。この場合、端末の用途や大きさにより表示領域４２の大きさが制限されるが、本実施形態の入力装置１０は検出領域１２を拡大させて入力操作ができる。したがって、表示領域４２の表示画像等４３の誤入力を防止し、また、スクロール操作やフリック操作等の多様な入力操作も可能である。
【００３１】
したがって、本実施形態の入力装置１０によれば、表示領域４２に対して大きな面積の検出領域１２を確保して、操作性を向上させることが可能である。
【００３２】
次に、静電センサ２０による被検出体の接近の検出について説明する。図３は、静電センサの電極構造の一例、及び静電センサに接続された回路ブロック図を示す説明図である。本実施形態の静電センサ２０は、基材２１と、基材２１に設けられた複数の第１の電極２２ａ及び複数の第２の電極２２ｂを有して構成される。図３に示すように、第１の電極２２ａ及び第２の電極２２ｂは、Ｘ方向及びＹ方向に所定のピッチで配列されている。また、第１の電極２２ａ及び第２の電極２２ｂには個別に引出配線２３が接続されており、複数の引出配線２３は、基材２１の上に配置されて外部の回路に接続される。なお、図３は、見やすくするために引出配線２３の一部を省略して示している。
【００３３】
本実施形態において、基材２１は、フィルム状の透明樹脂材料を用いて形成されており、第１の電極２２ａ及び第２の電極２２ｂはＩＴＯ（Ｉｎｄｉｕｍｕ  Ｔｉｎ  Ｏｘｉｄｅ）などの透明導電材料が用いられている。引出配線２３は、ＩＴＯ等の透明導電材料、Ｃｕ等の金属材料などを用いることができ、ＩＴＯと金属材料との積層構造とすることもできる。
【００３４】
図３に示すように、静電センサ２０には入力位置情報を検出するための回路が接続されている。この回路には、複数の引出配線２３を切り替えるための切換回路２４が設けられ、切換回路２４に駆動回路２５と検出回路２６が接続されている。検出回路２６はＡ／Ｄ変換部２７を介して制御部２８に接続されている。
【００３５】
静電センサ２０による検知動作の一例としては、切換回路２４の切換え動作により、駆動回路２５から第１の電極２２ａに対してＹ列方向に順番で矩形波のパルス電圧が与えられる。このとき、切換回路２４の切換え動作により、全ての第２の電極２２ｂが検出回路２６に接続される。
【００３６】
隣接する第１の電極２２ａと第２の電極２２ｂとの間に静電容量が形成されているため、駆動回路２５から第１の電極２２ａに与えられるパルス電圧の立ち上がり時と立下り時に第２の電極２２ｂに電流が流れ、その電流量が検出回路２６で検出される。検出領域１２に操作体である人の指が接近すると、第１の電極２２ａまたは第２の電極２２ｂと指との間の静電容量が付加されることになり、第２の電極２２ｂを経て検出回路２６で検出される電流量が変化する。
【００３７】
検出回路２６の検知信号はＡ／Ｄ変換部２７でディジタル値に変換されて制御部２８に与えられる。駆動回路２５からＹ１列、Ｙ２列、Ｙ３列、Ｙ４列の順で第１の電極２２ａにパルス電圧が与えられているときに、第２の電極２２ｂからの検知電流の変化を監視することで、Ｙ１列、Ｙ２列、Ｙ３列、Ｙ４列のそれぞれの列毎の検出値が得られる。Ｙ１列、Ｙ２列、Ｙ３列、Ｙ４列のそれぞれの列の検出値は分布曲線として得られ、分布曲線のピーク位置がＹ方向での指の接近位置として求められる。
【００３８】
次に、切換回路２４の切換え動作によって、第２の電極２２ｂに対してＸ１列、Ｘ２列、Ｘ３列の順番で駆動電力が印加されるとともに、全ての第１の電極２２ａから検出される電流値が検出回路２６に与えられる。その結果、Ｘ１列、Ｘ２列、Ｘ３列のそれぞれの列の検出値が分布曲線として得られ、分布曲線のピーク位置がＸ方向での指の接近位置として求められる。
【００３９】
この動作を繰り返すことで、検出領域１２に設定されるＸ−Ｙ座標上のどの位置に指が接近しているかを算出できる。
【００４０】
なお、静電センサ２０の第１の電極２２ａ及び第２の電極２２ｂの配置は、図３に示す実施の形態に限られるものではなく、例えば、Ｘ方向に連続するＸ電極とＹ方向に延びるＹ電極が互いに絶縁されて形成されているものであってもよい。この場合の駆動・検出方法は、Ｘ電極とＹ電極の一方の電極に順番にパルス電圧が印加され、このとき他方の電極で検知される電流値が検出回路２６に与えられる。
【００４１】
制御部２８では、検出回路２６からの出力がしきい値を超えたときに、図２に示すように表面パネル３１から距離Ｌだけ離れた検出領域１２ａ〜１２ｃに指等の被検出体が接近したと判断する。
【００４２】
図４は、検出領域１２と表示領域４２との関係を模式的に示す説明図である。なお、図４において見やすくするために、第２の検出領域１２ｂ及び第３の検出領域１２ｃを第１の検出領域１２ａと同一平面に展開して模式的に示している。
【００４３】
図４に示すように、制御部２８は、例えば第２の検出領域１２ｂの位置ｅ１において被検出体の接近を検出したときに、入力位置座標を表示領域４２の座標に変換して表示領域４２の位置Ｅ１における入力位置座標を算出する。
【００４４】
このように、制御部２８において、検出領域１２ａ〜１２ｃにおける検出位置（ｅ１〜ｅ５）と表示領域４２における表示位置（Ｅ１〜Ｅ５）とを対応させて入力位置座標を算出する。これにより、検出領域１２における入力操作を表示領域４２に対する入力操作として検出することができる。
【００４５】
図５は、本実施形態の入力装置１０の部分拡大断面図である。図５に示すように、静電センサ２０の基材２１が粘着層３８を介して表面パネル３１に貼り合わされている。そして、側壁３３ａには加飾層３４が設けられている。加飾層３４は表示領域４２の周囲に形成され、操作者から入力装置１０の内部が視認されないように非透光性の着色された樹脂などで形成される。
【００４６】
本実施形態において、第１の電極２２ａ及び第２の電極２２ｂが、天板３２及び側板３３にそれぞれ位置している。よって、同一の基材２１に設けられた第１の電極２２ａ及び第２の電極２２ｂによって、第１の検出領域１２ａ、第２の検出領域１２ｂ、及び第３の検出領域１２ｃにおける被検出体の接近が検出される。これにより、図５に示すように、天板３２と第１の検出領域１２ａとの距離と、側板３３と第２の検出領域１２ｂとの距離とを同じ距離Ｌで検出可能であり、検出感度の誤差を抑制して被検出体の接近を精度良く検出することができる。
【００４７】
しかし、検出領域１２は、天板３２に対向する位置から側板３３に対向する位置に亘って連続して設けられている。よって、第３の検出領域１２ｃでは、天板３２に位置する電極２２ａ、２２ｂと、側板３３に位置する電極２２ａ、２２ｂとの両方により検出可能であるため、第３の検出領域１２ｃにおける正確な位置の検出が困難である。
【００４８】
図６は、本実施形態の入力装置における静電センサの検出値と検出位置の関係を示す説明図である。図６（ａ）は、第３の検出領域の外側の位置ｂ１における検出値の分布を示す説明図、図６（ｂ）は、第３の検出領域の内側の位置ｂ２における検出値の分布を示す説明図である。図６各図の横軸は、表面パネル３１の位置、及び検知領域１２の位置を示し、図５に示す表面パネル３１の位置Ａ１、Ｂ１、検知領域１２の位置ａ１、ｂ１、ｂ２の位置を示している。また、縦軸には静電センサ２０の検出値の大きさを示している。
【００４９】
図６（ａ）に示すように、第３の検出領域１２ｃの位置ｂ１における静電センサ２０の検出値の分布は、第２の検出領域１２ｂから第１の検出領域１２ａまで拡がっている。そして、検出値の分布のピークは、第３の検出領域１２ｃの位置ｂ１ではなく第３の検出領域１２ｃの中央位置ｂ３側にずれて位置している。これは、位置ｂ１において、表面パネル３１の位置Ｂ１近傍の静電センサ２０の検出値が合計されて分布しているためであり、側壁３３に対向する静電センサ２０の検出値と天板３２に対向する静電センサ２０の検出値とが足し合わされた検出値の分布となっている。
【００５０】
また、同様に、図６（ｂ）に示すように、第３の検出領域１２ｃの内側の位置ｂ２における静電センサ２０の検出値の分布は第２の検出領域１２ｂから第１の検出領域１２ａまで拡がりを有しており、検出値の分布のピークはｂ２の位置ではなく、第３の検出領域１２ｃの中央の位置ｂ３側にずれている。
【００５１】
したがって、第３の検出領域１２ｃでは、位置ｂ１と位置ｂ２とで静電センサ２０の検出値のピークの重なりが発生する。よって、本実施形態の入力装置１０のように、多面の検出領域１２を有する場合には、上述した検出値のピーク位置により被検出体の接近位置を求める方法では、被検出体の位置を正確に検出することができない。
【００５２】
本実施形態において、静電センサ２０の第３の検出領域１２ｃの検出値の分布と、第３の検出領域１２ｃの周囲の第１の検出領域１２ａの検出値の分布と、第３の検出領域１２ｃの周囲の第２の検出領域１２ｂの検出値の分布との総和を求め、図６（ａ）に示すように、検出値の分布の総和の重心位置Ｇ１から第３の検出領域１２ｃにおける操作体の位置を検出する。これにより、第３の検出領域１２ｃの位置ｂ１への操作体の接近が検出できる。重心位置は、例えば総和が１になるように規格化された各センサの検出値ｐ１、ｐ２、・・・、ｐｎと各センサの位置の積の総和ｘ１ｐ１＋ｘ２ｐ２＋・・・＋ｘｎｐｎにより得られる。要するに各センサの出力値に加重平均する、あるいは、センサ位置ｘｍ（１＜ｍ＜ｎ）の左右ｘ１〜ｘｍ−１とｘｍ＋１〜ｘｎの出力総和が等しくなるようにｘｍを選ぶ。ただし、重心位置の求め方は前記の例示に限定されるものではない。
【００５３】
同様に図６（ｂ）に示すように、静電センサ２０の第１の検出領域１２ａ、第２の検出領域１２ｂ及び第３の検出領域１２ｃの検出値の分布の総和を求め、この検出値の分布の総和の重心位置Ｇ２から、第３の検出領域１２ｃにおける操作体の位置を検出する。これにより、第３の検出領域１２ｃの外側の位置ｂ２への操作体の接近が検出できる。
【００５４】
図６（ａ）及び図６（ｂ）に示すように、検出値の分布のピーク位置Ｐ１、Ｐ２ではなく静電センサ２０の検出値の分布の重心位置Ｇ１、Ｇ２から被検出体の接近を検出することにより、第３の検出領域１２ｃにおける操作体の接近の位置を精度良く検出することができる。この検出値の分布の総和及び重心位置Ｇ１、Ｇ２の算出は、制御部２８によって行われる。なお、第１の検出領域１２ａ及び第２の検出領域１２ｂにおいては、上述のように検出値の分布のピーク値によって入力位置座標を算出する。そして、ピーク値の座標が第３の検出領域１２ｃとなったときには、検出値の分布の重心位置によって入力位置座標を算出する。
【００５５】
また、図５に示すように、検出領域１２の合計面積は、静電センサ２０の合計面積に対して第３の検出領域１２ｃの面積分大きくなる。そのため、検出領域１２における入力位置座標を静電センサ２０のセンサ座標に対応させて補正する必要がある。
【００５６】
図７は、表面パネルの位置に対する操作単位長さの分布を示す。操作単位長さとは、図５に示すＸＺ断面で見たときに、検出領域１２の稜線に沿った長さを一定の単位長さに分割した長さとする。図７は、この各操作単位長さの表面パネル３１上の位置を示す。
【００５７】
図７に示すように、第１の検出領域１２ａと第２の検出領域１２ｂでは、操作単位長さ一定の間隔で表面パネル３１上に位置しており、第３の検出領域１２ｃでは狭くなっている。このグラフにしたがって、検出領域１２における入力位置座標を補正して、表面パネル３１上の座標、すなわち静電センサ２０のセンサ座標に対応させることができる。これにより、第３の検出領域１２ｃにおける操作を第１の検出領域１２ａから第２の検出領域１２ｂに亘って滑らかに行うことができる。
【００５８】
なお、図５から図７では、Ｘ方向における検出方法を示したが、同様にＹ方向における検出方法に拡張することで、検出領域１２全体の検出が可能となる。よって、検出領域１２における被検出体の接近座標を補正して、静電センサ２０のセンサ座標に対応させることができる。そして、静電センサ２０のセンサ座標と表示領域４２の座標とを対応させることで検出領域１２における入力位置座標を表示領域４２への入力操作として算出することができる。なお、静電センサ２０のセンサ座標と表示領域４２の座標との対応関係は、例えば静電センサ２０と表示領域４２との面積の比率に基づいて設定することができる。
【００５９】
以上のように、図６及び図７に示す検出方法により、第３の検出領域１２ｂにおいて精度良く被検出体の検出が可能になるとともに、第１の検出領域１２ａから第２の検出領域１２ｂに亘って連続したスムーズな入力操作が可能となる。よって、本実施形態の入力装置１０は、多面の検出領域１２を有していても、検出領域１２を拡大するとともに操作性を向上させることが可能である。
【符号の説明】
【００６０】
１０  入力装置
１２  検出領域
１２ａ  第１の検出領域
１２ｂ  第２の検出領域
１２ｃ  第３の検出領域
２０  静電センサ
２１  基材
２２ａ  第１の電極
２２ｂ  第２の電極
２３  引出配線
２４  切換回路
２５  駆動回路
２６  検出回路
２８  制御部
３１  表面パネル
３２  天板
３３、３３ａ〜３３ｄ  側板
３４  加飾層
４１  表示装置
４２  表示領域
Ｅ１〜Ｅ５  表示領域上の位置
Ａ１、Ｂ１  表面パネル上の位置
ａ１、ｂ１、ｂ２、ｅ１〜ｅ５  検出領域上の位置
【図１】
2015153004.tif 000003
【図２】
2015153004.tif 000004
【図３】
2015153004.tif 000005
【図４】
2015153004.tif 000006
【図５】
2015153004.tif 000007
【図６】
2015153004.tif 000008
【図７】
2015153004.tif 000009
【図８】
2015153004.tif 000010